(57)【要約】【課題】保保護シートを容器本体から容易に取り外すことができるとともに、取り外さない状態において保護シートが十分な耐久性を有する化粧用容器を提供すること。【解決手段】化粧料入り容器を収容している容器本体２と、蓋体５と、化粧料入り容器４の上面を覆う保護シート６とを有する化粧用容器１であって、保護シート６は、折曲線６２により折り曲げられて、化粧料入り容器４の上面を覆う保護部６１と、折曲線６２よりも下方に位置する下方部６３とを有しており、下方部６３は、化粧料入り容器４の側面４ｓ及び下面４ｂに沿うように折り曲げられるとともに、局所的に脆弱化された脆弱部６８を有しており、化粧用容器の使用者が、該脆弱部６８より保護部側を手で切り取り可能である。【選択図】図４
2015119787.tif 000002
【特許請求の範囲】
【請求項１】
化粧料入り容器を収容している容器本体と、蓋体と、前記化粧料入り容器の上面を覆う保護シートとを有する化粧用容器であって、
前記保護シートは、折曲線により折り曲げられて、前記化粧料入り容器の上面を覆う保護部と、前記折曲線よりも下方に位置する下方部とを有しており、前記下方部は、前記化粧料入り容器の側面及び下面に沿うように折り曲げられるとともに、局所的に脆弱化された脆弱部を有しており、化粧用容器の使用者が、該脆弱部より保護部側を手で切り取り可能である、化粧用容器。
【請求項２】
前記下方部は、前記化粧料入り容器の側面に沿う部分と該化粧料入り容器の下面に沿う部分との間に屈曲部を有し、前記脆弱部が、該屈曲部に形成されているか、又は前記折曲線より下方で且つ該屈曲部より上方の部位に形成されている、請求項１記載の化粧用容器。
【請求項３】
前記下方部は、前記化粧料入り容器の側面に沿う部分と該化粧料入り容器の下面に沿う部分との間に屈曲部を有し、前記脆弱部が、該屈曲部よりも、前記保護シートの下側端部側に形成されている、請求項１記載の化粧用容器。
【請求項４】
前記脆弱部の脆弱化方法が、ミシン目の形成、厚み方向の途中まで切り目の形成、両側部の切り欠き、幅の急激な減少、又はこれらの２以上の組み合わせである、請求項１〜３の何れか１項に記載の化粧用容器。
【請求項５】
前記保護シートは、厚みが３０μｍ以上３００μｍ以下の合成樹脂製シートである、請求項１〜４の何れか１項に記載の化粧用容器。
【請求項６】
化粧料入り容器を収容するための容器本体と、蓋体と、前記容器本体の上面を覆う保護シートとを有する化粧用容器であって、
前記保護シートは、折曲線により折り曲げられて、前記化粧料入り容器の上面を覆う保護部と、前記折曲線よりも下方に位置する下方部とを有しており、前記下方部は、局所的に脆弱化された脆弱部を有している、化粧用容器。
【請求項７】
前記保護シートは、前記下方部が前記容器本体に固定されている、請求項１〜６の何れか１項に記載の化粧用容器。
【請求項８】
化粧料入り容器を収容する容器本体と、蓋体とを有する化粧用容器に使用される保護シートであって、
前記保護シートは、折曲線により折り曲げられて、前記化粧料入り容器の上面を覆う保護部と、前記折曲線よりも下方に配置される下方部とを有しており、前記下方部は、局所的に脆弱化された脆弱部を有している、保護シート。
【発明の詳細な説明】
【技術分野】
【０００１】
本発明は、化粧用容器に関する。
【背景技術】
【０００２】
ファンデーション、チーク、アイシャドウ等の化粧料を収容する化粧用容器として、化粧料入り容器を収容する容器本体と、該容器本体に開閉可能に取り付けられた蓋体とを有する、いわゆるコンパクトと呼ばれる化粧用容器が知られている。
このような化粧用容器においては、化粧料が蓋体に設けられた鏡に付着することを防止したり、化粧料入り容器と蓋体との間に塗布具を配置する仕切られた空間を形成するために、化粧料入り容器の上面を覆うように保護シートを配置することが多い。また、紛失や落下を防止するため保護シートの一部を、容器本体に固定することも行われている。
例えば、特許文献１には、化粧料入り容器の上面を覆う保護シートを、その一部を、容器本体における化粧料入り容器の収容部の底面と化粧料入り容器の底面との間に固定することが開示されている。
【先行技術文献】
【特許文献】
【０００３】
【特許文献１】特開２００４−２５５０６１号公報
【発明の概要】
【発明が解決しようとする課題】
【０００４】
しかし、消費者の中には、利き手や嗜好によって、保護シートが取り外せないことを不便に感じる人が一定数いることが判明した。しかし、そのような消費者が、保護シートを鋏で切り取った場合には、消費者が、露出した切れ端に触れて痛みを感じる恐れがある。また、取り外しを容易とするために、保護シートを繰り返し回動させるための折曲線（折り目）にミシン目を形成することも考えられるが、その場合には、保護シートの耐久性が低下し、保護シートを切り取らずに利用する消費者に不便が生じることになる。
【０００５】
したがって本発明の課題は、前述した従来技術が有する欠点を解消し得る、化粧用容器を提供することにある。
【課題を解決するための手段】
【０００６】
本発明は、化粧料入り容器を収容している容器本体と、蓋体と、前記化粧料入り容器の上面を覆う保護シートとを有する化粧用容器であって、前記保護シートは、折曲線により折り曲げられて、前記化粧料入り容器の上面を覆う保護部と、前記折曲線よりも下方に位置する下方部とを有しており、前記下方部は、前記化粧料入り容器の側面及び下面に沿うように折り曲げられるとともに、局所的に脆弱化された脆弱部を有しており、化粧用容器の使用者が、該脆弱部より保護部側を手で切り取り可能である、化粧用容器を提供するものである。
【０００７】
また、本発明は、化粧料入り容器を収容するための容器本体と、蓋体と、前記容器本体の上面を覆う保護シートとを有する化粧用容器であって、前記保護シートは、折曲線により折り曲げられて、前記化粧料入り容器の上面を覆う保護部と、前記折曲線よりも下方に位置する下方部とを有しており、前記下方部は、局所的に脆弱化された脆弱部を有している、化粧用容器を提供するものである（以下、第２発明というときは、この発明をいう）。
【０００８】
また、化粧料入り容器を収容する容器本体と、蓋体とを有する化粧用容器に使用される保護シートであって、前記保護シートは、折曲線により折り曲げられて、前記化粧料入り容器の上面を覆う保護部と、前記折曲線よりも下方に配置される下方部とを有しており、前記下方部は、局所的に脆弱化された脆弱部を有している、保護シートを提供するものである。
【発明の効果】
【０００９】
本発明の化粧用容器によれば、保護シートを容器本体から容易に取り外すことができるとともに、取り外さない状態において保護シートが十分な耐久性を有する。
【図面の簡単な説明】
【００１０】
【図１】図１は、本発明の一実施形態である化粧用容器と、該化粧用容器から取り外した状態の化粧料入り容器を示す斜視図である。
【図２】図１に示す化粧用容器に用いられる保護シートの平面状態と容器本体とを示す平面図である。
【図３】図３は、図１に示す化粧用容器における、化粧料入り容器を収容した状態の容器本体の断面を示す断面図である。
【図４】図４は、図１に示す化粧用容器の一部の拡大断面図である。
【図５】図５は、保護シートの下方部の脆弱化方法の他の例を示す説明図である。
【図６】図６は、本発明の他の実施形態を示す図３相当図である。
【発明を実施するための形態】
【００１１】
以下本発明をその好ましい実施形態に基づき図面を参照しながら説明する。
本発明の一実施形態である化粧用容器１は、図１及び図２に示すように、化粧料入り容器４を収容する容器収容部３を有する容器本体２と、蓋体５と、化粧料入り容器４の上面を覆う保護シート６とを有している。保護シート６は、化粧料が蓋体５に付着するのを防止する機能を有し、一部が容器本体２の容器収容部３内に固定されている。
【００１２】
化粧料入り容器４は、例えばファンデーション、チーク、アイシャドウ、コンシーラー等の化粧料４１が、上面が開口した深さの浅い薄型の容器４２に収容されたものであり、容器本体２の容器収容部３内に収容された状態として使用される。化粧料入り容器４は、容器収容部３内に固定されることが好ましい。その場合、化粧料入り容器４は、容器収容部３内に脱着不可能に固定されていても良いが、本実施形態における化粧料入り容器４は、容器収容部３に、脱着可能に固定されており、例えば、化粧料入り容器４の内部の化粧料を使い切ったときには、化粧料が充填された新たな化粧料入り容器４に交換可能である。
【００１３】
化粧料入り容器４を容器収容部３内に固定する方法としては、例えば、化粧料入り容器４の下面４ｂに接着剤を塗布し、その接着剤を介して、化粧料入り容器４を容器収容部３の底面３ｂ上に固定する。
容器収容部３は、化粧料入り容器４を収容可能な大きさの凹部として形成されており、化粧料入り容器４と嵌合する形状を有している。ここでいう嵌合には、両者の間に多少の遊びがある場合も含まれる。本実施形態における化粧料入り容器４における前記薄型の容器４２は、有底筒状の立体形状を有しており、化粧料入り容器４は、筒状の側面４ｓと平面状の下面４ｂを有している。化粧料入り容器４は、深さ方向に直交する断面形状が、一部に直線部を有する円形状をなし、側面４ｓの一部に平面部４７を有している。これに対応して、容器収容部３も、筒状の内周面３ｓと平面状の底面３ｂとを有し、深さ方向に直交する断面形状が一部に直線部を有する円形状をなし、内周面３ｓの一部に平面部３７を有している。
なお、蓋体５は、蝶番部５２を介して容器本体２に対して回動自在に連結されており、容器本体２の上面を開閉自在である。蓋体５は、閉蓋時に、容器本体２側を向く内面に鏡５１が設けられている。
【００１４】
化粧用容器１における保護シート６について説明する。
保護シート６は、図１〜図３に示すように、折曲線６２により折り曲げられて、化粧料入り容器４の上面４ａを覆う保護部６１と、折曲線６２より下方に位置する下方部６３とを有している。ここで、折曲線６２とは、保護シート６の保護部６１を、化粧料入り容器４の上面４ａを覆った状態（図３参照）から、該上面４ａが開放された状態（図４参照）とするために回動させるときの回動軸として機能する折曲部である。
以下、説明の便宜上、図２に示すように、保護シート６を、平面状態として平面視したときに、折曲線６２と平行な方向Ｘを幅方向Ｘ、折曲線６２と直交（交差）する方向Ｙを長手方向Ｙとし、長手方向Ｙにおける保護部６１側の端部を上側端部６ａ、長手方向Ｙにおける上側端部６ａとは反対側の端部を下側端部６ｂという。
また、折曲線６２よりも下方とは、容器本体２に取り付けた状態の保護シート６において、折曲線６２よりも、容器収容部３の底面３１ｂ側に位置する部分であり、下方部６３は、図２に示すように、保護シート６の前述した長手方向Ｙにおいて、折曲線６２よりも下側端部６ｂ側に位置する部分である。
【００１５】
本実施形態の化粧用容器１において、保護シート６の折曲線６２は、図４に示すように、化粧料入り容器４における、保護シート６に隣接する側面４ｓの上端４ｔ付近に位置しており、また、保護シート６の折曲線６２は、容器収容部３における、保護シート６に隣接する内周面３ｓの上端３ｔ付近に位置している。上端４ｔ付近は、容器本体２の厚み方向において、該上端４ｔの高さ位置から上下にそれぞれ２ｍｍ以内の範囲であり、上端３ｔ付近も、容器本体２の厚み方向において、該上端３ｔの高さ位置から上下にそれぞれ１．５ｍｍ以内の範囲である。
【００１６】
また、保護シート６における下方部６３は、図４に示すように、保護シート６及び化粧料入り容器４が容器収容部３に配置された状態において、化粧料入り容器４の側面４ｓ及び下面４ｂに沿うように折り曲げられた状態となっており、その下方部６３に、局所的に脆弱化された脆弱部６８を有している。
より具体的には、本実施形態における保護シート６の下方部６３は、化粧料入り容器４の側面４ｓに沿う部分６４と、化粧料入り容器４の下面４ｂに沿う部分６６と、前記の長手方向Ｙにおいて、それらの部分間に位置する部分６５を有しており、該部分６５に、保護シート６が角部を有するように屈曲した屈曲部６７を有している。本実施形態における保護シート６における、下方部６３の前記部分６４及び前記部分６６は、容器収容部３の側面３ｓに沿う部分６４及び容器収容部３の下面３ｂに沿う部分６６とも表現できる。
脆弱部６８は、その屈曲部６７に形成されている。また、その脆弱部６８は、図２に示すように、保護シート６にミシン目を形成することによって形成されている。
【００１７】
本実施形態において、脆弱部６８としてのミシン目は、ミシン目の延在方向に、貫通部分７１と非貫通部分７２とを交互に有している。より具体的には、一本の線（直線）上に、貫通部分７１と非貫通部分７２とを交互に有している。貫通部分７１は、ミシン目の延在方向における長さが、非貫通部分７２と同じ長さであるか又は非貫通部分７２より長いことが好ましい。貫通部分７１の前記長さは０．５ｍｍ以上２ｍｍ以下が好ましい。
なお、屈曲部６７においては、保護シート６の下方部６３が、容器収容部３の底面３ｂと内周面３ｓとにより形成された断面略直角の角部に沿って屈曲しており、保護シート６の下方部６３も断面が略直角をなすように屈曲している。下方部６３が、化粧料入り容器の側面及び下面に沿うように折り曲げられている態様には、図４に示すように、化粧料入り容器４の底面の角部が、曲面状に形成され、その曲面状の角部と下方部６３との間に隙間がある場合も含まれる。
【００１８】
容器収容部３の内周面３ｓは、保護シート６の下方部６３と対向する部分に部分的な平面部３７を有し、また、容器収容部３の底面３ｂには、下方部６３における化粧料入り容器４の下面４ｂに沿う部分６６が収容される保護シート収容凹部３６が形成されている。化粧料入り容器４の側面４ｓも、保護シート６の下方部６３と対向する部分に、部分的な平面部を有しており、容器収容部３の内周面３ｓの平面部３７と化粧料入り容器４の側面４ｓの平面部との間に、下方部６３が配されていることが、折曲線６２の回動自在性の点から好ましい。
保護シート６の下方部６３は、化粧料入り容器４の下面４ｂに沿う部分６６の一部又は全域が、容器収容部３の底面３ｂに固定されていることが好ましく、例えば、保護シート６の下方部６３における、屈曲部６７よりも下側端部６ｂ側の全域が、保護シート収容凹部３６の上面上に接着剤を介して接合されていても良い。
【００１９】
本実施形態の化粧用容器１における保護シート６の折曲線６２は、保護シート６を構成する合成樹脂製のシートに、押し罫加工を施して形成してあり、冷間押し又は加熱押しによって形成された直線状の溝部が形成されている。直線状の溝部は、一直線に連続したものでよいが、部分的に溝部がない部分があってもよい。また、部分的には貫通した箇所が存在してもよい。また、折曲線６２は、片面側が溝部、他面側が凸条部となっていても良いし、両面とも溝部となっていても良い。折曲線６２は、耐久性の観点から、単純に曲げを施したものでなく、押し罫加工により溝部を形成した箇所であることが好ましい。
【００２０】
本実施形態の化粧用容器１（内部に化粧料入り容器が収容されている化粧用容器）を使用して化粧料の塗布を行う場合には、図４に示すように、蓋体５を開くとともに、保護シート６を、折曲線６２を回動軸として回動させ、化粧料入り容器４の上面４ａを開放させる。そして、保護シート６上（蓋体５と保護部６１との間）に収容していた化粧料の塗布具又は化粧用容器１とは別に携帯していた塗布具を用いて、化粧料入り容器４内の化粧料４１を擦り取り、擦り取った化粧料を、蓋体５に設けられた鏡５１を見ながら、肌面に塗布する。使用後には、保護シート６を回動させて、図３に示す状態へと戻した後、蓋体５を閉じる。このような塗布動作を繰り返し行っても、保護シート６の折曲線６２は、容易には破断しない。塗布具としては、例えばパフや刷毛、スポンジ状のローラーを備えた塗布具等が挙げられる。
【００２１】
他方、図１に示すように、鏡５１を正面から見たときの左手側に、保護シート６の保護部６１を開くようになっている場合、左利きの人が、上述した塗布動作をする場合には、左手側に開いた保護シート６が動作の邪魔になり易い。また、利き手が左右の何れであるかを問わずに、嗜好により、保護シート６を取り外したい場合もある。
そのような場合、本化粧用容器１においては、保護シート６の保護部６１を手で掴んで引っ張ることにより、保護シート６の脆弱部６８を容易に破断させることができる。
また、その脆弱部６８は、折曲線６２よりも下方に位置する下方部６３（図２参照）、より具体的には、容器収容部３内に大きく入り込んだ屈曲部６７に形成されているため、保護シート６が脆弱部６８において破断して生じた端部が、容器４の前記上端４ｔから突出しない。そのため、化粧用容器１の使用者、即ち、化粧をする人の手が、その切断端部に触れて、その人が痛みを感じるということも起こらない。
【００２２】
本実施形態の化粧用容器１においては、前述した屈曲部６７に、ミシン目を形成していたが、脆弱部６８を形成する部位は、保護シート６の下方部６３における他の部位であっても良い。
例えば、脆弱部６８は、折曲線６２より下方で且つ屈曲部６７より上方の部位Ｒ１（図４参照）に形成されていても良い。脆弱部６８の破断により生じた端部が、肌に触れにくくする観点から、脆弱部６８は、化粧料入り容器４における、保護シート６に隣接する側面４ｓの上端４ｔよりも下方に形成することが好ましく、また、容器収容部３における、保護シート６に隣接する内周面３ｓの上端３ｔよりも下方に形成することが好ましい。
脆弱部６８は、屈曲部６７又は前記部位Ｒ１に形成されていることが、保護シート６を引っ張った際に、その引っ張り力が、化粧料入り容器４を持ち上げる力として作用しないようにする観点から好ましい。
【００２３】
また、脆弱部６８は、屈曲部６７よりも、保護シート６の下側端部６ｂ側に形成されていても良い。ここでいう、下側端部６ｂ側とは、折曲線６２側とは反対側の端部６ｂ側である。この場合、脆弱部６８は、屈曲部６７から、化粧料入り容器４の下面４ｂに沿う部分６６までの範囲内に形成されていることが、脆弱部６８の破断のしやすさ等の観点から好ましい。
【００２４】
上述した化粧用容器１は、蓋体５における鏡５１以外の部分は、例えば、それぞれ合成樹脂の成形品である。蓋体の鏡５１は、その成形品に接着剤等の公知の手段により固定する。また、化粧用容器１の各部分は、ステンレス、アルミ等の金属をプレス成型等して形成することもできる。
保護シート６を形成するシートは、前述したように、合成樹脂製のシートであることが好ましく、例えば、ポリエチレンテレフタレート、ポリプロピレン、ポリカーボネート等の樹脂からなるものや、これらの樹脂などで複数層に形成したもの等を用いることができるまた、紙に、熱可塑性樹脂をラミネートしたラミネート紙を用いることもできる。また、保護シートは、不透明のものであっても良いが、透明であることが好ましい。
【００２５】
保護シート６の厚みは、その材質等により適宜に決定することができるが、例えば、ポリエチレンテレフタレート、ポリプロピレン、ポリカーボネート等の合成樹脂製のシートからなる場合、その厚みは、破断しやすい脆弱部を形成する観点及び繰り返し回動の耐久性の観点から、好ましくは３０μｍ以上、より好ましくは７０μｍ以上であり、また、好ましくは３００μｍ以下、より好ましくは２５０μｍ以下である。
【００２６】
本発明における脆弱部６８は、折曲線６２よりも破断し易ければ良く、脆弱部６８の形成方法、換言すれば保護シート６を構成するシート（好ましくは合成樹脂製のシート）の脆弱化方法は、ミシン目の形成に限らない。ミシン目の形成以外の脆弱化方法としては、保護シート６の下方部６３に対し、図５（ａ）〜図５（ｃ）に示すように厚み方向の途中まで達する切り目６８Ａの形成、図５（ｄ）に示すような両側部の切り欠き、図５（ｅ）に示すように幅を急激に減少させること等が挙げられる。
【００２７】
図５（ｂ）及び図５（ｃ）に示すように、厚み方向の途中まで達する切り目６８Ａは、化粧料入り容器４に向けられる面とは反対側に形成しても良いし、化粧料入り容器４に向けられる面側に形成しても良い。厚み方向の途中まで達する切り目６８Ａは、その深さが、シートの全厚に対して、３０％以上７０％以下であることが好ましい。
また、図５（ｄ）に示すように、保護シート６の下方部６３の両側部に切り欠きを設けて脆弱部６８とする場合、脆弱部６８の幅Ｗ２は、保護部６１側の隣接部位の幅Ｗ１の、好ましくは５０％以下、より好ましくは３０％以下であり、また１０％以上が好ましい。
【００２８】
また、図５（ｅ）に示すように、幅を急激に減少させた部位を、脆弱部６８とする場合、脆弱部６８の幅Ｗ２は、保護部６１側の隣接部位の幅Ｗ１の、好ましくは５０％以下、より好ましくは３０％以下であり、また１０％以上が好ましい。
脆弱部の形成方法(局所的な脆弱化方法）としての、幅の急激な減少とは、折曲線６２から下側端部６ｂに向かう方向における長さＬ８が５ｍｍ以内の範囲で、保護シートの幅が半分以下に減少していることを意味する。
【００２９】
なお、折曲線６２と脆弱部６８のどちらが破断しやすいかは、例えば、以下の方法により判断することができる。
（株）東洋精機製のストログラフ等の引張試験機に保護シートを取り付け、１０ｍｍ／ｍｉｎの速度で破断するまで引っ張って判断する。保護シートは、折曲線６２と脆弱部６８の中心Ｃから、引張試験機の上下のチャック位置が均等となるよう取り付ける。
【００３０】
図６は、本発明の化粧用容器の他の実施形態における要部を示す図である。
図６に示す実施形態においては、脆弱部６８が、ミシン目を設けるとともに、前述した図５（ｄ）に示した両側部を切り欠く手法によって、脆弱化させてある。また、その切り欠きによって、先端が鋭角をなす切り欠き部６９，６９が形成されている。また、図６に示す実施形態においては、切り欠き部６９の先端が鋭角をなすように形成してあり、脆弱部６８による破断が一層容易となっている。また、保護シート６Ａの下方部６３における化粧料入り容器の下面に沿う部分６６が、容器収容部３の円形の輪郭に沿う一対の円弧状部６６ａ，６６ａを有している。
図６に示す実施形態の化粧用容器に関して特に説明しない点は、前述した化粧用容器１と同様であり、同様の符号を付して説明を省略する。特に説明しない点については、前述した化粧用容器１についての説明が適宜適用される。
【００３１】
以上、本発明をその好ましい実施形態を示して説明したが、本発明は、上記の実施形態に制限されることなく種々変更可能である。
上述した化粧用容器１における保護シート６の保護部６１は、平面視略円形の化粧料入り容器４や容器収容部３の形状に対応して略円形の形状を有していたが、保護部６１、化粧料入り容器４及び容器収容部３は、任意の形状とすることができ、例えば楕円形や長円形、角部を丸めた長方形状や正方形等とすることができる。また、保護部６１は、化粧料入り容器４の上面の形状と異なる形状を有していても良い。
化粧料入り容器４の容器収容部３内への固定方法は、ねじ込み、突起の係合等であっても良い。
【００３２】
保護シート６の下方部は、化粧料入り容器の側面及び下面に沿うように折り曲げられるものに代えて、容器収容部３の側面３ｓ及び容器収容部３の下面３ｂに沿うように折り曲げられるものであってもよい。その場合、保護シート６の下方部における、前記側面３ｓに沿う部分と前記下面３ｂに沿う部分との間に屈曲部を有し、脆弱部が該屈曲部に形成されているか、折曲線６２より下方で且つ該屈曲部より上方の部位に形成されていることも好ましい。
本発明の容器、特に第２発明の化粧用容器は、容器本体に化粧料入り容器が収容されていないものであっても良い。例えば、消費者が購入した化粧料入り容器を、容器収容部に入れる前のものであっても良い。
【００３３】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００３４】
１  化粧用容器
２  容器本体
３  容器収容部
３６  保護シート収容凹部
４  化粧料入り容器
４ａ  上面
４ｓ  側面
４ｂ  下面
４１  化粧料
４２  薄型の容器
５  蓋体
５１  鏡
５２  蝶番部
６，６Ａ  保護シート
６１  保護部
６２  折曲線
６３  下方部
６４  化粧料入り容器の側面に沿う部分
６６  化粧料入り容器の底面に沿う部分
６７  屈曲部
６８  脆弱部
【図１】
2015119787.tif 000003
【図２】
2015119787.tif 000004
【図３】
2015119787.tif 000005
【図４】
2015119787.tif 000006
【図５】
2015119787.tif 000007
【図６】
2015119787.tif 000008